【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後に開始条件が成立したことに基づいて各々を識別可能な複数種類の識別情報の可変表示を行い表示結果を導出表示する可変表示部に、特定表示結果が導出表示されたときに遊技者にとって有利な特定遊技状態に制御する遊技機であって、
前記始動領域を遊技媒体が通過したにもかかわらず前記開始条件が成立していない前記識別情報の可変表示について保留記憶として記憶する保留記憶手段と、
前記開始条件が成立する以前に、前記保留記憶に対応した前記識別情報の可変表示が所定の状態となるか否かを判定する判定手段と、
前記保留記憶に対応した保留表示を所定の表示態様で表示する保留表示制御手段と、
前記判定手段による判定の結果に基づいて、当該判定の対象となった前記保留記憶に対応した前記保留表示の表示態様を変化させるか否かを決定する演出決定手段と、
前記演出決定手段によって前記保留表示の表示態様を変化させると決定されたときに前記保留表示の表示態様を変化させる演出実行手段と、を備え、
前記演出実行手段は、
前記保留表示の表示態様を変化させると決定されたときに、前記判定手段による判定の対象となった前記保留記憶に対応した前記識別情報の可変表示よりも前に実行される前記識別情報の可変表示において、その可変表示期間が所定条件を満たす場合に、当該保留記憶に対応した保留表示に対して保留演出を実行して当該保留表示の表示態様を変化させる、
ことを特徴とする遊技機。
【手続補正２】
【補正対象書類名】明細書
【補正対象項目名】０００１
【補正方法】変更
【補正の内容】
【０００１】
本発明は、始動領域を遊技媒体が通過した後に開始条件が成立したことに基づいて各々を識別可能な複数種類の識別情報の可変表示を行い表示結果を導出表示する可変表示部に、特定表示結果が導出表示されたときに遊技者にとって有利な特定遊技状態に制御する遊技機に関する。
【手続補正３】
【補正対象書類名】明細書
【補正対象項目名】０００２
【補正方法】変更
【補正の内容】
【０００２】
従来より、特許文献１に示すように、保留表示の表示態様を変化させる場合に、表示態様が変化することを遊技者に事前に知らせる前知演出（パラシュートの落下）を実行するものが知られている。
【手続補正４】
【補正対象書類名】明細書
【補正対象項目名】０００４
【補正方法】変更
【補正の内容】
【０００４】
しかしながら、特許文献１に示す遊技機では、前知演出が適切に実行されるか否かについては考慮されていなかった。
【手続補正５】
【補正対象書類名】明細書
【補正対象項目名】０００５
【補正方法】変更
【補正の内容】
【０００５】
本発明は、このような背景のもとになされたものであり、保留表示の表示態様を変化させるときの演出が適切に実行される遊技機を提供することにある。
【手続補正６】
【補正対象書類名】明細書
【補正対象項目名】０００７
【補正方法】変更
【補正の内容】
【０００７】
まず手段１に係る発明は、
始動領域（第１始動入賞口１３又は第２始動入賞口１４）を遊技媒体が通過した後に開始条件が成立したこと（第１特別図柄及び第２特別図柄のいずれの可変表示も実行されておらず、かつ大当り遊技状態でもないこと）に基づいて各々を識別可能な複数種類の識別情報の可変表示を行い表示結果を導出表示する可変表示部（第１特別図柄表示器８ａ，第２特別図柄表示器８ｂ）に、特定表示結果（大当り図柄）が導出表示されたときに遊技者にとって有利な特定遊技状態（大当り遊技状態）に制御する遊技機であって、
前記始動領域を遊技媒体が通過したにもかかわらず前記開始条件が成立していない前記識別情報の可変表示について保留記憶として記憶する保留記憶手段（図２０（Ｂ）に示す第１保留記憶バッファ及び第２保留記憶バッファ）と、
前記開始条件が成立する以前に、前記保留記憶に対応した前記識別情報の可変表示が所定の状態（確変大当りやスーパーリーチ）となるか否かを判定する判定手段（Ｓ１２１７又はＳ１２２８の入賞時演出処理を行う遊技制御用マイクロコンピュータ５６０）と、
前記保留記憶に対応した保留表示を所定の表示態様で表示する保留表示制御手段（演出表示装置９の合算保留記憶表示部１８ｃ）と、
前記判定手段による判定の結果に基づいて、当該判定の対象となった前記保留記憶に対応した前記保留表示の表示態様を変化（図６２（ａ）の保留表示の色変化（変化なし、青、又は赤），図６２（ｂ）の保留表示の形状変化（割れない又は割れる））させるか否かを決定する演出決定手段（始動入賞時にＳ６０１０，Ｓ６０１８Ａ，Ｓ６０２７，Ｓ８０１０の処理を行う演出制御用マイクロコンピュータ１００）と、
前記演出決定手段によって前記保留表示の表示態様を変化させると決定されたときに前記保留表示の表示態様を変化させる演出実行手段（Ｓ８１０８の処理を行う演出制御用マイクロコンピュータ１００）と、を備え、
前記演出実行手段は、
前記保留表示の表示態様を変化させると決定されたときに、前記判定手段による判定の対象となった前記保留記憶に対応した前記識別情報の可変表示よりも前に実行される前記識別情報の可変表示において、その可変表示期間が所定条件を満たす場合（例えば、保留球変化演出時間が変動時間未満である場合：図４４のＳ８０１７Ｂ）に、当該保留記憶に対応した保留表示に対して保留演出（図６０：刷毛１１１０とバケツ１１２０を持った小人１１００又は巨人１２００が登場，図６１：ハンマー１２１０を持った小人１１００又は巨人１２００が登場）を実行して当該保留表示の表示態様を変化させる（図６２（ａ）：変化なし、青、又は赤，図６２（ｂ）：割れない又は割れる）、
ことを特徴とする遊技機である。
【手続補正７】
【補正対象書類名】明細書
【補正対象項目名】０００８
【補正方法】変更
【補正の内容】
【０００８】
また手段２に係る発明は、
手段１に記載した遊技機であって、
前記演出実行手段は、前記保留演出を実行しても前記保留表示の表示態様を変化させない場合があり（図６２（ａ）：変化なし，青変化，赤変化の場合がある）、
前記保留演出は、前記保留表示の表示態様を変化させる割合が異なる複数種類の演出を有し（図５９（ｃ）：保留球変化期待度が低い小人の登場と、保留球変化期待度が高い巨人の登場がある）、
前記演出実行手段は、前記保留表示の表示態様を変化させると決定されたときに、前記複数種類の保留演出のうちのいずれかを実行する（図６３の演出出現率で小人又は巨人を登場させる）ことを特徴とする遊技機である。
【手続補正８】
【補正対象書類名】明細書
【補正対象項目名】０００９
【補正方法】変更
【補正の内容】
【０００９】
また手段３に係る発明は、
手段１又は２に記載した遊技機であって、
前記表示態様は、前記所定の状態となる期待度が異なる複数種類の表示態様を有し（図５９（ａ）：大当り期待度が低い変化なしと、大当り期待度が中程度の青変化と、大当り期待度が高い赤変化がある）、
前記保留演出は、前記保留表示の表示態様を前記複数種類の表示態様の各々に変化させる割合が異なる複数種類の演出を有し（図５９（ｃ）：保留球変化期待度が低い小人の登場と、保留球変化期待度が高い巨人の登場がある）、
前記演出実行手段は、前記保留表示の表示態様を変化させると決定されたときに、前記複数種類の保留演出のうちのいずれかを実行する（図６３の演出出現率で小人又は巨人を登場させる）ことを特徴とする遊技機である。
ここで「期待度」とは、所定の状態でないときに選択される割合と、所定の状態のときに選択される割合とが異なることを意味する。
【手続補正９】
【補正対象書類名】明細書
【補正対象項目名】００１０
【補正方法】変更
【補正の内容】
【００１０】
また手段４に係る発明は、
手段２又は３に記載した遊技機であって、
前記演出実行手段は、前記保留表示の表示態様を変化させる際に、前記複数種類の保留演出のうちの一の保留演出を実行した後に他の保留演出を実行可能である（図６３：Ａ１２，Ａ２１で小人塗るから巨人塗るに変化）ことを特徴とする遊技機である。
【手続補正１０】
【補正対象書類名】明細書
【補正対象項目名】００１２
【補正方法】変更
【補正の内容】
【００１２】
また手段６に係る発明は、
手段１〜５のいずれか１つに記載した遊技機であって、
前記演出実行手段は、
一の保留表示の表示態様を変化させている状態において、他の保留表示の表示態様を変化させることが可能であり、
前記一の保留表示が変化した表示態様が示す前記所定の状態となる期待度よりも、前記他の保留表示が変化した表示態様が示す前記所定の状態となる期待度が低い場合には、当該他の保留表示の表示態様を変化させない（Ｓ６０１８ＣでＹＥＳならば、先読み予告演出を決定せず、先読み予告演出を実行しない）ことを特徴とする遊技機である。
【手続補正１１】
【補正対象書類名】明細書
【補正対象項目名】００１５
【補正方法】変更
【補正の内容】
【００１５】
まず手段１に係る遊技機によれば、保留表示の表示態様を変化させるときの保留演出を適切に実行可能である。
【手続補正１２】
【補正対象書類名】明細書
【補正対象項目名】００１６
【補正方法】変更
【補正の内容】
【００１６】
また手段２に係る遊技機によれば、保留演出を実行する際に、保留表示の表示態様を変化させる割合が異なる、複数種類の保留演出のいずれかを実行するので、該保留演出の種類に対して遊技者に興味を持たせることができる。
【手続補正１３】
【補正対象書類名】明細書
【補正対象項目名】００１７
【補正方法】変更
【補正の内容】
【００１７】
また手段３に係る遊技機によれば、保留演出を実行する際に、保留表示の表示態様を期待度が異なる複数種類の表示態様の各々に変化させる割合が異なる、複数種類の保留演出のいずれかを実行するので、該保留演出の種類に対して遊技者に興味を持たせることができる。
【手続補正１４】
【補正対象書類名】明細書
【補正対象項目名】００２０
【補正方法】変更
【補正の内容】
【００２０】
また手段６に係る遊技機によれば、既に示されている表示態様よりも期待度が低い場合には他の保留表示の表示態様の変化が行われないので、表示態様の変化が煩雑になるのを避けることができると共に、遊技者を興醒めさせないようにすることができる。